(57)【要約】  本発明は、電気消費機器に対してデータ接続を介して電力供給するための装置に関する。装置は、電気消費機器に対してデータ接続を介して電力供給するための電源と、電気消費機器に対して送付されるべきデータを受け取るためのデータ受取ユニットと、データ接続を介する電気消費機器に対しての電力供給を動作化するためのコントローラーと、を含む。電気消費機器に対して送付されるべきデータを受け取った場合には、その電気消費機器に対する電力供給は非動作化される。従って、データ接続アクティビティに反応できるように警戒しておくために、電気消費機器それ自身は、装置から電力供給を受ける必要はない。それにより、電力消費が削減される。
2013539116.tif 000002
【特許請求の範囲】
【請求項１】
電気消費機器に対してデータ接続を介して電力供給する装置であって：
前記電気消費機器に対して前記データ接続を介して電力供給するための電源と、
前記電気消費機器に対して送付されるべきデータを受け取るデータ受取りユニットと、
前記電気消費機器に対して送付されるべきデータが受け取られ、前記電気消費機器に対する前記電源が非動作化されている場合に、前記電気消費機器に対する前記データ接続を介した電力供給を動作化するためのコントローラーと、
を含むことを特徴とする装置。
【請求項２】
前記装置は、前記受け取られたデータを保管するためのデータ保管ユニットを含み、
前記コントローラーは、前記電気消費機器に対する電力供給が動作化された後で、前記電気消費機器に対して前記データ接続を介して、前記受け取られ保管されたデータを送付するように適合されている、
請求項１に記載の装置。
【請求項３】
前記コントローラーは、前記コントローラーが前記電気消費機器に対する電力供給を動作化し始めた後で、前記電気消費機器に対して前記データ接続を介して、前記受け取られ保管されたデータを送付するように適合されている、
請求項２に記載の装置。
【請求項４】
前記コントローラーは、前記電気消費機器に対して、前記受け取られ保管されたデータを繰り返し送付するように適合されている、
請求項２に記載の装置。
【請求項５】
前記装置は、前記電気消費機器に対する電力供給が動作状態であるか非動作状態であるかどうかを保管するための状態保管ユニットを含み、
前記コントローラーは、前記電気消費機器に対して送付されるべきデータが受け取られ、前記電気消費機器に対する前記電力供給が非動作化されていることが前記状態保管ユニットに保管されている場合に、前記電気消費機器に対する前記データ接続を介した電力供給を動作化するように適合されている、
請求項１に記載の装置。
【請求項６】
前記コントローラーは、前記受け取られたデータが、前記電気消費機器が非動作化されるべきことを示す非動作化命令を含んでいるかどうかを判断するように適合されている、
請求項１に記載の装置。
【請求項７】
前記コントローラーは、前記受け取られたデータは非動作化命令を含んでいると前記コントローラーが判断した場合には、前記電気消費機器に対する前記電力供給を非動作化するように適合されている、
請求項６に記載の装置。
【請求項８】
前記装置は、前記電気消費機器に対する電力供給が動作状態であるか非動作状態であるかどうかを保管するための状態保管ユニットを含み、
前記状態保管ユニットは、前記受け取られたデータは非動作化命令を含んでいると前記コントローラーが判断した場合には、前記電気消費機器に対する前記電力供給は非動作化状態にあることを保管するように適合されている、
請求項６に記載の装置。
【請求項９】
前記コントローラーは、前記電気消費機器が動作化されているか非動作化されているかを判断するように適合されている、
請求項１に記載の装置。
【請求項１０】
前記コントローラーは、前記電気消費機器の電力消費を決定し、前記決定された電力消費に応じて、前記電気消費機器が動作化されているか非動作化されているかを判断するように適合されている、
請求項９に記載の装置。
【請求項１１】
前記コントローラーは、前記電気消費機器から、前記電気消費機器が非動作化されるべきであることを示す非動作化リクエストを受け取るように適合され、
前記コントローラーは、前記非動作化リクエストが受け取られた場合には、前記電気消費機器に対する前記電力供給を非動作化するよう、前記電源を制御するように適合されている、
請求項１に記載の装置。
【請求項１２】
前記コントローラーは、前記電気消費機器から、前記電気消費機器が動作化されるべきであることを示す動作化リクエストを受け取るように適合され、
前記コントローラーは、前記動作化リクエストが受け取られた場合には、前記電気消費機器に対する前記電力供給を動作化するよう、前記電源を制御するように適合されている、
請求項１に記載の装置。
【請求項１３】
少なくとも一つの電気消費機器と、
電気消費機器に対してデータ接続を介して電力供給する、請求項１に記載の前記装置と、
少なくとも一つのデータ接続であり、前記装置と前記少なくとも一つの電気消費機器との間でデータ伝送するため、および、前記装置によって前記少なくとも一つの電気消費機器に対して前記少なくとも一つのデータ接続を介して電力供給するためのデータ接続と、
を含むシステム。
【請求項１４】
電気消費機器に対してデータ接続を介して電力供給する方法であって：
データ受取りユニットによって、前記電気消費機器に対して送付されるべきデータを受け取るステップと、
前記電気消費機器に対して送付されるべきデータが受け取られ、前記電気消費機器に対する前記電源が非動作化されている場合に、コントローラーによって、前記電気消費機器に対する前記データ接続を介した電力供給を動作化するステップと、を含み、
電力は、電源によって、前記電気消費機器に対して前記データ接続を介して供給される、
ことを特徴とする方法。
【請求項１５】
電気消費機器に対してデータ接続を介して電力供給するためのコンピュータープログラムであって、
前記コンピュータープログラムは、請求項１に記載の装置に対して、前記装置をコントロールしているコンピューター上で実行される場合に、請求項１４に記載の方法のステップを実行させるためのプログラムコード手段を含む、コンピュータープログラム。
【発明の詳細な説明】
【技術分野】
【０００１】
本発明は、電気消費機器に対してデータ接続を介して電力供給する装置に関し、装置と電気消費機器とデータ接続とを含むシステムに関する。本発明は、さらに、電気消費機器に対してデータ接続を介して電力供給することに対応する方法、およびコンピュータープログラムに関する。
【背景技術】
【０００２】
パワーオーバーイーサネット（登録商標）（ＰｏＥ：Ｐｏｗｅｒ−ｏｖｅｒ−Ｅｔｈｅｒｎｅｔ）は、ルーター、スイッチ、プリンタースプーラー、等のようなネットワーク接続されており分離された電気消費機器に対して、標準のイーサネット（登録商標）ケーブル接続によって、電気的エネルギーを供給する、現行の規格（ＩＥＥＥＥ  ８０２．３．ａｆ）である。
【０００３】
しかしながら、ネットワーク接続されており分離された電気消費機器がスタンバイモードにある場合には、あらゆるイーサネット（登録商標）アクティビティに反応できるよう内部処理アラート（ａｌｅｒｔ）を保持するために、それらの機器は、いまだに、ＰｏＥ電力供給からいくらかの電力を受け取っている。
【０００４】
このように、ネットワーク接続されており分離された電気消費機器のスタンバイモードにおいてさえ、電力消費は非常に高い。
【先行技術文献】
【特許文献】
【０００５】
【特許文献１】欧州特許出願第２２２２０１８Ａ１号明細書
【特許文献２】米国特許出願第２００７／００５３３６０Ａ１号明細書
【発明の概要】
【発明が解決しようとする課題】
【０００６】
本発明の目的は、電気消費機器に対してデータ接続を介して電力供給する装置を提供し、電力消費を削減できる、装置と電気消費機器とデータ接続とを含むシステムを提供することである。本発明は、さらに、電気消費機器に対してデータ接続を介して電力供給することに対応する方法、およびコンピュータープログラムを提供することを目的としている。
【課題を解決するための手段】
【０００７】
本発明の第１の態様において、電気消費機器に対してデータ接続を介して電力供給する装置が記述される。装置は、
−電気消費機器に対してデータ接続を介して電力供給するための電源と、
−電気消費機器に対して送付されるべきデータを受け取るデータ受取りユニットと、
−電気消費機器に対して送付されるべきデータが受け取られ、電気消費機器に対する電源が非動作化されている場合に、電気消費機器に対するデータ接続を介した電力供給を動作化するためのコントローラーと、を含む。
【０００８】
電気消費機器に対して送付されるべきデータが受け取られ、電気消費機器に対する電源が非動作化されている場合に、コントローラーは、電気消費機器に対する電力供給を動作化するので、データ接続アクティビティに反応できるように警戒しておくために、電気消費機器それ自身は、装置から電力供給を受ける必要はない。特に、電気消費機器が非動作化され、装置から電力供給を受けていない場合で、かつ、データが非動作化された電気消費機器に対して送付されるべき場合には、コントローラーは、電気消費機器に対する電力供給を動作化し、それにより、電気消費機器自身が動作化し、そのデータを受け取ることができる。このように、電気消費機器は、データ接続アクティビティに反応できるように警戒しておく必要が無いので、電力消費を削減することができる。
【０００９】
装置は、望ましくは、イーサネット（登録商標）接続を介して電気消費機器に対して電力供給するように適合される。
【００１０】
電気消費機器に対する電力供給が非動作化されている場合、例えば、電気消費機器が接続されている装置のポートが非動作化されている場合には、データ接続は、望ましくは、電気消費機器に対してデータを送付したり、または、電気消費機器からデータを受け取ることができない状態にあり、例えば、それぞれのポートは完全にスイッチオフされている。電気消費機器のポートが動作化された場合には、機器はパワーアップされ、電気消費機器がデータ接続を介してデータを受け取ることができる状態に入る。
【００１１】
電気消費機器は、例えば、光源、センサー、等である。
【００１２】
受け取ったデータは、例えば、ネットワーク接続された照明コントローラーからのスイッチオフ命令またはディムツゥゼロ（ｄｉｍ−ｔｏ−ｚｅｒｏ）命令であり、装置に対してイーサネット（登録商標）によりＴＣＰ／ＩＰパケットで転送されたものである。受け取ったデータは、望ましくは、受け取ったデータが送付される必要がある電気消費機器の指示を含んでいる。特に、受け取ったデータは、その受け取ったデータが送付される必要がある電気消費機器のＩＰアドレスを含んでいる。
【００１３】
装置は、望ましくは、いくつかのデータ接続を介して装置に接続されている、いくつかの電気消費機器に選択的に電力供給できるように適合されている。
【００１４】
装置は、受け取ったデータを保管するためのデータ保管ユニットを含んでいることが望ましい。コントローラーは、電気消費機器に対する電力供給が動作化された後で、電気消費機器に対してデータ接続を介して、受け取られ保管されたデータを送付するように適合される。特に、コントローラーは、コントローラーが電気消費機器に対する電力供給を動作化し始めた後で、既定の時間の後に、電気消費機器に対してデータを介して、受け取られ保管されたデータを送付するように適合される。これにより、電気消費機器には、例えばブートアップするための、時間が与えられる。時間は、望ましくは、例えば電気消費機器がブートアップした後といった、電気消費機器が受け取られ保管されたデータを受け取る準備ができた後で、コントローラーが電気消費機器に対してデータ接続を介して受け取られ保管されたデータを送付できるように、あらかじめ決められる。
【００１５】
コントローラーは、電気消費機器に対して受け取られ保管されたデータを繰り返し送付するように適合され得る。一つの実施例においては、コントローラーは、電気消費機器からのアクノレッジ（ａｃｋｎｏｗｌｅｄｇｅ）信号を受け取るまで、電気消費機器に対して受け取られ保管されたデータを繰り返し送付するように適合される。コントローラーは、また、電気消費機器に対して、制限された回数だけ、または、制限された時間だけ、受け取られ保管されたデータを送付するように適合され得る。コントローラーが電気消費機器に対する電力供給を動作化を始めた後、例えば、電気消費機器が接続されているそれぞれのポートを動作化し始めた後である。受け取られ保管されたデータは、電気消費機器に対して繰り返し送付されるので、例えば、コントローラーが電気消費機器に対する電力供給の動作化を始めた直後といった、電気消費機器がデータを受け取る準備ができていない開始時期においてさえ、電気消費機器はデータを受け取ることができる。この場合は、電気消費機器がデータを受け取る準備ができた後で、電気消費機器は繰り返し送付されたデータを、後に受け取る。
【００１６】
装置は、電気消費機器に対する電力供給が動作状態であるか、または非動作状態であるか、を保管するための状態保管ユニットを含み得る。電気消費機器に対して送られるべきデータが受け取られ、状態保管ユニットの中に、電気消費機器に対する電力供給は非動作化されていると保管されている場合には、コントローラーは、電気消費機器に対するデータ接続を介した電力供給を動作化するように適合される。これにより、状態保管ユニットの中を調べるだけで、電気消費機器に対する電力供給が動作状態であるか、または非動作状態であるかを非常に早く判断することができる。
【００１７】
コントローラーは、受け取ったデータが、電気消費機器が非動作化されるべきことを示す非動作化命令を含むかどうかを決定するように適合されることが望ましい。コントローラーは、受け取ったデータが非動作化命令を含んでいると判断した場合には、電気消費機器への電力供給を非動作化するように適合されることが望ましい。望ましくは、コントローラーは、ａ）電気消費機器に対して非動作化命令を送付し、ｂ）既定の時間待つか、電気消費機器が既に非動作化されたかどうかを判断し、そして、ｃ）電気消費機器に対する電力供給を非動作化する。既定の時間は、望ましくは、冷却機器によって電気消費機器をクールダウンしたり、情報を保管する、等を含む、非動作のための処理のために十分な時間を電気消費機器が持てるように定義される。コントローラーは、例えば、電気消費機器の電力消費をモニターしたり、または、電気消費機器に対してピン（ｐｉｎｇ）命令を送ることによって、電気消費機器が非動作であるかどうかを決定し得る。これにより、コントローラーを介して電気消費機器を非動作化することができる。例えば、電気消費機器のスイッチまたはそのようなもので、電気消費機器を非動作化する必要はない。
【００１８】
装置は、さらに、電気消費機器に対する電力供給が動作状態であるか、または非動作状態であるか、を保管するための状態保管ユニットを含むことが望ましい。状態保管ユニットは、コントローラーが、受け取ったデータは非動作化命令を含んでいると判断した場合に、電気消費機器に対する電力供給が非動作化されていることを保管するように適合されている。これにより、状態の判断を要求すること無しに、電気消費機器に対する電力供給の実際の状態を、コントローラーが、状態保管ユニットから常に取り出せるように、状態保管ユニットを更新することができる。
【００１９】
コントローラーは、電気消費機器が動作状態であるか、非動作状態であるかを判断するように適合され得る。特に、コントローラーは、電気消費機器は動作化されているとコントローラーが判断した後で、電気消費機器に対してデータ接続を介して受け取られ保管されたデータを送付するように適合され得る。
【００２０】
コントローラーは、さらに、望ましくは、電気消費機器の電力消費を決定し、電気消費機器が動作状態であるか、非動作状態であるかを判断するように適合される。これにより、電気消費機器の電力消費をモニターするだけで、電気消費機器が動作状態であるか、非動作状態であるかを判断することができる。
【００２１】
コントローラーは、電気消費機器が非動作化されるべきことを示す非動作化リクエストを、電気消費機器から受け取るように適合されることが望ましい。コントローラーは、非動作化リクエストを受け取った場合に、電気消費機器に対する電力供給を非動作化するよう、電源をコントロールするように適合される。特に、電源は、非動作化リクエストを受け取った場合には、電気消費機器に対する電力供給をゼロまで減少させるように適合される。コントローラーは、さらに、電気消費機器の電力消費をモニターするように適合され、電気消費機器の電力消費が、電気消費機器が非動作状態であることを示す閾値よりも低い場合には、電気消費機器への電力供給を非動作化するよう電源をコントロールするように適合される。例えば、閾値は、閾値よりも低い電気消費は、電気消費機器がスタンバイ状態にあることを示すように、事前に決定され得る。このように、電気消費機器の電力消費をモニターすることによって、その電気消費機器がスタンバイ状態にあるかどうかを検知することができる。電気消費機器がスタンバイ状態にある場合には、コントローラーは、電気消費機器に対する電力供給をスイッチオフするよう電源を制御することができる。電気消費機器がスタンバイ状態にスイッチされた場合には、それによって電気消費機器の電力消費が削減される。
【００２２】
一つの実施例において、コントローラーは、電気消費機器から、その電気消費機器が動作されるべきであることを示す動作化リクエストを受け取るように適合される。コントローラーは、動作化リクエストが受け取られた場合に、電気消費機器に対する電力供給が動作化、特には、スイッチオンされるように適合される。この実施例において、データ接続は、電気消費機器に対する電力供給が非動作化されているにもかかわらず、電気消費機器からデータを受け取ることができるような状態にあり、電気消費機器は、装置に対して動作化リクエストを送付するのに十分な電力を供給するための自身の電源を含んでいる。これにより、電気消費機器それ自身から、電気消費機器に対する電力供給を制御することもできる。
【００２３】
本発明のさらなる態様における、システムが記述される。システムは、
−少なくとも一つの電気消費機器と、
−電気消費機器に対してデータ接続を介して電力供給する、添付の請求項１に記載の装置と、
−少なくとも一つのデータ接続であり、装置と少なくとも一つの電気消費機器との間でデータ伝送するため、および、装置によって少なくとも一つの電気消費機器に対して少なくとも一つのデータ接続を介して電力供給するためのデータ接続と、を含む。システムは、例えば、電気消費機器である、いくつかの光源を持った照明システムであり、いくつかの光源は装置によってデータ接続を介して電力供給される。
【００２４】
本発明の別の態様において、電気消費機器に対してデータ接続を介して電力供給する方法が記述される。方法は、
−データ受取りユニットによって、電気消費機器に対して送付されるべきデータを受け取るステップと、
−電気消費機器に対して送付されるべきデータが受け取られ、電気消費機器に対する電源が非動作化されている場合に、コントローラーによって、電気消費機器に対するデータ接続を介した電力供給を動作化するステップと、を含む。
【００２５】
本発明のさらなる他の態様において、電気消費機器に対してデータ接続を介して電力供給するためのコンピュータープログラムが記述される。コンピュータープログラムは、
添付の請求項１に記載の装置に対して、コンピュータープログラムが装置をコントロールしているコンピューター上で実行される場合に、添付の請求項１４に記載の方法のステップを実行させるためのプログラムコード手段を含む。
【００２６】
添付の請求項１に係る装置、添付の請求項１３に係るシステム、添付の請求項１４に係る方法、そして添付の請求項１５に係るコンピュータープログラムは、特に、従属請求項において定義されるように、類似、及び／又は、同一の好適な実施例を有するものであることが理解されるべきである。
【００２７】
本発明の好適な実施例は、また、独立請求項とそれぞれの従属請求項とのあらゆる組み合わせであり得ることも理解されるべきである。
【００２８】
本発明に係るこれらの、そして他の態様は、以降に述べられる実施例から明らかであり、実施例に関して説明される。
【図面の簡単な説明】
【００２９】
添付の図面は以下のとおりである。
【図１】図１は、電気消費機器に対してデータ接続を介して電力供給する装置の実施例の典型的な模式図を示している。
【図２】図２は、電気消費機器に対してデータ接続を介して電力供給する方法の実施例を説明する典型的なフローチャートを示している。
【図３】図３は、電気消費機器に対してデータ接続を介して電力供給する方法のさらなる実施例を説明する典型的なフローチャートを示している。
【図４】図４は、装置と電気消費機器とデータ接続とを含むシステムの実施例の典型的な模式図を示している。
【発明を実施するための形態】
【００３０】
図１は、いくつかのデータ接続６、７、８を介して、いくつかの電気消費機器３，４，５に電力供給する装置の実施例の典型的な模式図を示している。データ接続６、７、８は、望ましくはイーサネット（登録商標）ケーブルである。装置１は、装置１に対してデータ接続６，７，８を行うために、いくつかのポート１３，１４，１５を含んでいる。電気消費機器３，４，５の各々も、データ接続６、７、８を介して、電気消費機器３，４，５それぞれを装置１に対して接続するためのポート１６，１７，１８を含んでいる。装置１は、データ接続６、７、８を介して電気消費機器３，４，５に電力供給するための電源２とデータを受け取るためのデータ受取ユニット９を含んでいる。データは、例えば、外部のコントローラーから受け取り、一つまたはいくつかの電気消費機器３，４，５に対して送付されるものである。しかしながら、データ受取ユニット９は、各々のポート１３，１４，１５を通じて電気消費機器３，４，５からのデータを受け取るように適合することもできる。例えば、データ受取ユニット９は、一つまたはいくつかの電気消費機器３，４，５に対して、別の電気消費機器３，４，５から送付されるべきデータを受け取るように適合され得る。例として、データは、電気消費機器３，４，５の間で装置１を介して交換可能である。
【００３１】
装置１は、さらに、一つまたはいくつかの電気消費機器３，４，５に対してそれぞれのデータ接続６を介しての電力供給を動作化するためのコントローラー１０を含んでいる。一つまたはいくつかの電気消費機器３，４，５に対して送付されるべきデータが受け取られた場合は、それぞれの電気消費機器３，４，５への電力供給、例えば、それぞれのポート１３，１４，１５は非動作化される。従って、それぞれの電気消費機器３，４，５は、データ活動のデータ接続に反応できるように警戒を続ける必要はない。なぜなら、データがそれぞれの電気消費機器３，４，５に対して送付され、それぞれの電気消費機器３，４，５が非動作化され、装置１からの電力供給を受け取れない場合には、コントローラー１０は、データを受け取るべき、電気消費機器３，４，５に対するそれぞれのポート１３，１４，１５を動作させ、それにより、それぞれの電気消費機器３，４，５の電力消費を削減するからである。
【００３２】
データ接続６，７，８は、望ましくはイーサネット（登録商標）ケーブルであるため、装置１は、望ましくは、イーサネット（登録商標）接続６，７，８を介して電気消費機器３，４，５に対して電力供給するように適合される。従って、装置１は、望ましくはＰｏＥ装置である。
【００３３】
電気消費機器３，４，５に対する電力供給が非動作化される場合、例えば、それぞれの電気消費機器３，４，５が接続されている装置１のそれぞれのポート１３，１４，１５が非動作の場合には、それぞれのデータ接続６，７，８は、望ましくは、電気消費機器に対してデータが送付できず、または電気消費機器からのデータを受け取れない状態になる。例えば、それぞれのポート１３，１４，１５は、望ましくは、完全に電源オフされる。もし、それぞれの電気消費機器３，４，５に対するポートが動作する場合には、電気消費機器はパワーアップされ、それぞれの電気消費機器３，４，５がデータ接続を介してデータを受け取ることができる状態になる。
【００３４】
コントローラー１０は、望ましくは、それぞれのデータ接続６，７，８を介したそれぞれの電気消費機器３，４，５に対する電力供給を動作化するためのＰｏＥ規格に準拠するように適合される。規格は、例えば、米国電気電子学会（ＩＥＥＥ）によって２００３年６月１８日に出版された、ＩＥＥＥ  Ｃｏｍｐｕｔｅｒ  Ｓｏｃｉｅｔｙによる“Ｐａｒｔ３:Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ｄｅｔｅｃｔｉｏｎ（ＣＳＭＡ／ＣＤ）  Ａｃｃｅｓｓ  Ｍｅｔｈｏｄ  ａｎｄ  Ｐｈｙｓｉｃａｌ  Ｌａｙｅｒ  Ｓｐｅｃｉｆｉｃａｔｉｏｎｓ、Ａｍｅｎｄｍｅｎｔ：Ｄａｔａ  Ｔｅｒｍｉｎａｌ  Ｅｑｕｉｐｍｅｎｔ(ＤＴＥ)  Ｐｏｗｅｒ  ｖｉａ  Ｍｅｄｉａ  Ｄｅｐｅｎｄｅｎｔ  Ｉｎｔｅｒｆａｃｅ(ＭＤＩ)”に開示されおり、ここにおいて参照として包含されている。この規格は、ＰｏＥ給電機器（ＰＳＥ）が、ＰｏＥ非対応デバイスに対して４８Ｖを適用しないことを保証するように要求している。この実施例においては、ＰｏＥ  ＰＳＥは、装置１であると認められる。規格に従えば、コントローラー１０は、望ましくは、最初は、例えば、２．７Ｖから１０．１Ｖといった低電圧を、それぞれのデータ接続６，７，８を介してそれぞれの電気消費機器３，４，５に対して適用し、シグネチャ（ｓｉｇｎａｔｕｒｅ）抵抗の２５ＫΩを検出するように適合される。コントローラーは、シグネチャ抵抗が自動極性制御回路のある形式の後であることを期待し、シグネチャにおけるＤＣオフセットを補償する。それぞれの電気消費機器３，４，５の最大入力容量は、１５０ｎＦより小さくなければならない。もし、コントローラーがシグネチャ抵抗を特定した場合には、コントローラーは、それぞれの電気消費機器３，４，５がＰｏＥ対応機器であると結論付け、それぞれの電気消費機器３，４，５に対して約４８Ｖの電力を供給する。もし、コントローラーが、それぞれの電気消費機器３，４，５がＰｏＥ対応機器ではないと結論付けた場合には、約４８Ｖの電力は供給されず、コントローラー１０は、望ましくは、例えば、２．７Ｖと１０Ｖといった、小さな電圧における電流をモニターする。
【００３５】
電気消費機器３，４，５は、例えば、光源、センサー、スイッチ、等である。データ受取ユニット９によって受け取られるデータは、望ましくは、図１には示されていないが、ネットワーク上のさらなるコントローラーからの命令であり、データ受取ユニット９に対してイーサネット（登録商標）によりＴＣＰ／ＩＰパケットで伝送される。このように、データ受取ユニット９によって受け取られるデータは、それぞれの電気消費機器３，４，５が光源である場合には、望ましくは、電源オフ命令またはディムツゥゼロ（ｄｉｍ−ｔｏ−ｚｅｒｏ）命令といった命令を含み、それぞれの電気消費機器３，４，５のＩＰアドレスを含んでいる。従って、データ受取ユニット９がそれぞれの電気消費機器３，４，５のＩＰアドレスとそれぞれの電気消費機器３，４，５に対して送られるべき命令を含むデータを受け取るまでは、それぞれの電気消費機器３，４，５は、非動作状態を維持することができる。
【００３６】
装置１は、さらに、それぞれの電気消費機器３，４，５に対する電力供給が動作状態であるか、または非動作状態であるか、を保管するための状態保管ユニット１１を含んでいる。このように、例えば、それぞれの電気消費機器３，４，５に対する電力供給が非動作の場合には、それぞれの電気消費機器３，４，５に対してフラグ（ｆｌａｇ）をセットすることができる。もし、それぞれの電気消費機器３，４，５に対して送られるべきデータが受け取られ、状態保管ユニット１１の中に、それぞれの電気消費機器３，４，５に対する電力供給は非動作であると保管されている場合には、コントローラー１０は、望ましくは、それぞれのデータ接続６，７，８を介したそれぞれの電気消費機器３，４，５に対する電力供給を動作化するように適合される。例えば、データ受取ユニット９が、命令およびある特定の電気消費機器のＩＰアドレスを含んだデータを受け取った場合は、コントローラーは、この特定の電気消費機器に対してフラグがセットされているかどうか、状態保管ユニット１１の中を調べる。もし、そうであれば、コントローラーは、それぞれのデータ接続６，７，８を介したこの特定の電気消費機器に対する電力供給を動作化する。
【００３７】
装置１は、さらに、受け取ったデータを保管するためのデータ保管ユニットを含んでいる。コントローラー１０は、電気消費機器３，４，５が動作化された後で、保管されている受け取ったデータを、それぞれの電気消費機器３，４，５に対して、それぞれのデータ接続６，７，８を介して伝送するように適合される。特に、コントローラー１０は、それぞれの電気消費機器３，４，５が既に動作化されているかどうかを判断して、データ接続６，７，８を介してそれぞれの電気消費機器３，４，５に対してのみ、保管されている受け取ったデータを伝送するように適合される。それぞれの電気消費機器３，４，５が、本当に、例えば、データの中に含まれる命令といったデータを、それぞれの電気消費機器３，４，５が受け取ることができる動作状態にあることを、コントローラーが判断した後にである。コントローラー１０は、それぞれの電気消費機器３，４，５の電力消費を決定するように適合され、決定された電力消費に応じて電気消費機器３，４，５が動作状態であるか、非動作状態であるかを判断するように適合される。例えば、もし、電力消費が閾値より低い場合は、それぞれの電気消費機器を非動作化し、電力消費が閾値より高い場合は、それぞれの電気消費機器を動作化する、といったように、閾値を定めておくこともできる。コントローラー１０は、また、それぞれの電気消費機器３，４，５にたいしてピン（ｐｉｎｇ）命令を発行し、反応を待つように適合される。それぞれの電気消費機器が動作され、特にイーサネット（登録商標）のデータパケットを受け取る準備ができているか、または非動作であるか、を判断するためである。それぞれの電気消費機器に係る判断された状態は、状態保管ユニット１１を更新するため、特に、状態保管ユニット１１を初期化するためにも使用される。例えば、初期化工程において、コントローラー１０は、それぞれの電気消費機器３，４，５の状態を判断することができ、それぞれの状態は、状態保管ユニット１１に保管することができる。
【００３８】
コントローラー１０は、また、コントローラー１０が、それぞれの電気消費機器３，４，５の動作させ始めた後で、既定の時間の後に、データ接続６，７，８を介してそれぞれの電気消費機器３，４，５に対して保管されている受け取ったデータを伝送するように適合される。もしくは、コントローラー１０は、それぞれの電気消費機器３，４，５からアクノレッジ（ａｃｋｎｏｗｌｅｄｇｅ）が受け取られるまで、それぞれの電気消費機器３，４，５に対して保管されている受け取ったデータを繰り返し伝送するように適合される。こうして、それぞれの電気消費機器が動作状態であるか、非動作状態であるかを最初に判断すること無しに、それぞれの電気消費機器３，４，５に対してデータを伝送できる。
【００３９】
コントローラー１０は、さらに、受け取ったデータが、それぞれの電気消費機器３，４，５が非動作化されるべきことを示す非動作化命令を含むかどうかを決定するように適合される。さらに、コントローラー１０は、望ましくは、コントローラー１０が受け取ったデータは非動作化命令を含んでいると判断した場合には、それぞれの電気消費機器３，４，５に対するそれぞれのポート１３，１４，１５を非動作化するように適合される。そして、状態保管ユニット１１は、望ましくは、コントローラー１０が受け取ったデータは非動作化命令を含んでいると決定した場合には、それぞれの電気消費機器３，４，５に対して電力を供給するように適合される。特に、受け取ったデータは、非動作化命令と非動作化命令が送付されるべき電気消費機器３，４，５を示すＩＰアドレスを含み得る。コントローラー１０は、望ましくは、ＩＰアドレスと非動作化命令を抽出し、ＩＰアドレスによって示された電気消費機器に対して非動作化命令を送付する。コントローラー１０は、既定の時間だけ待つか、それぞれの電気消費機器３，４，５が既に非動作にされているかどうかを決定するし、次に、それぞれの電気消費機器３，４，５に対するそれぞれのポート１３，１４，１５を非動作化する。既定の時間は、望ましくは、例えば、冷却機器によって電気消費機器をクールダウンしたり、情報を保管したりするような、非動作のための処理のための十分な時間を、それぞれの電気消費機器が持てるように定義される。コントローラー１０は、例えば、それぞれの電気消費機器３，４，５の電力消費をモニターしたり、または、それぞれの電気消費機器３，４，５に対してピン命令を送ることによって、電気消費機器が非動作であるかどうかを決定し得る。コントローラー１０が、それぞれの電気消費機器が非動作化されたと決定した後で、それぞれのポート１３，１４，１５がスイッチオフされる。
【００４０】
状態保管ユニット１１は、望ましくは、テーブルを含む。テーブルには、それぞれのポート、または、それぞれの電気消費機器３，４，５を示す、それぞれのＩＰアドレスに対して、対応する電気消費機器への電力供給が動作状態であるか、非動作状態であるかが保管されている。
【００４１】
コントローラー１０は、さらに、それぞれの電気消費機器３，４，５が非動作化されるべきことを示す非動作化リクエストを、電気消費機器３，４，５から受け取るように適合され得る。コントローラー１０は、非動作化リクエストを受け取った場合に、それぞれの電気消費機器３，４，５のための電力供給を非動作化するよう、電源２をコントロールするように適合される。特に、電源２は、非動作化リクエストをそれぞれの電気消費機器３，４，５から受け取った場合には、それぞれの電気消費機器３，４，５に対する電力供給をゼロまで減少させるように適合される。
【００４２】
コントローラー１０は、さらに、電気消費機器３，４，５の電力消費をモニターするように適合され、それぞれの電気消費機器３，４，５の電力消費が、それぞれの電気消費機器３，４，５が非動作状態であることを示す閾値よりも低い場合には、それぞれの電気消費機器３，４，５への電力供給を非動作化するよう電源２をコントロールするように適合される。閾値は、望ましくは、それぞれの電気消費機器３，４，５の電力消費が閾値よりも低い場合には、それぞれの電気消費機器３，４，５を非動作化し、それぞれの電気消費機器３，４，５の電力消費が閾値よりも高い場合には、それぞれの電気消費機器３，４，５を動作化するように、事前に決定される。
【００４３】
コントローラー１０は、さらに、それぞれの電気消費機器３，４，５から、それぞれの電気消費機器３，４，５が動作されるべきであることを示す動作化リクエストを受け取るように適合され得る。コントローラー１０は、動作化リクエストが受け取られた場合に、それぞれの電気消費機器３，４，５、例えば、それぞれのポート１３，１４，１５が動作化されるよう電源２をコントロールするように適合される。特に、動作化リクエストを受け取った場合には、動作化プロトコルが実施され、上述のＰｏＥ規格に従う。
【００４４】
図１に関して記載された実施例において、電気消費機器３，４，５は、データ処理ユニット２０，２３，２６と、電源２１，２４，２７と、コントローラー１９，２２，２５を含んでいる。コントローラー１９，２２，２５は、それぞれの電気消費機器３，４，５をコントロールする。データ処理ユニット２０，２３，２６は、それぞれのデータ接続６，７，８を介して受け取られた命令をデコードするように適合され得る。例えば、電気消費機器がランプである場合には、データ処理ユニットは受け取ったデータをデコードする。デコードされた命令は、それぞれの電源、または、図１に示されていないそれぞれの電気消費機器に係る他のエレメントを制御するためのコントロール命令である。一つの実施例においては、一つまたはいくつかの電気消費機器は、存在検知センサーのようなセンサーであり、例えば、光学的または音響的に人の存在を検知するように適合されている。これらのセンサーは、望ましくは、分離された電源を含んでいる。センサーのポートがスイッチオフされている場合、例えば、装置１がセンサーに対して電力を供給しない場合でさえ、センサーが、例として、人の存在を検知することができるようにである。センサーが人の存在を検知した場合は、センサーは動作化リクエストを装置１に対して送付する。それぞれのデータ接続を介して、センサーに装置の電力を供給するようポートを動作化するためである。受け取った電力は、次に、センサーが、センサーのデータ処理ユニットによってコントロール信号を生成できるようにするために使用される。コントロール信号は、装置１を介して、例えば、ランプである他の電気消費機器に対して送付される。そして、これらのランプは、センサーによって生成されたコントロール信号に応じて制御される。ランプ自身は、自分の電源も有することができる。それぞれのランプに対するポートがスイッチオフされ、そうした電力がそれぞれのランプに供給されない場合に、例えば、低輝度の非常用照明を提供するためである。装置１が、ランプに対するデータ、例えば、存在検知センサーによって生成されたコントロール信号を受け取った場合は、コントローラー１０は、それぞれのランプに対して電力を供給されるように、それぞれのランプのポートを動作化する。ランプは、動作化され、特には、存在検知センサーによって生成されたコントロール信号に応じて、例えば、低輝度の非常用照明よりも高い輝度の照明を提供し得る。
【００４５】
以降には、図２に示したフローチャートに関して、電気消費機器に対してデータ接続を介して電力供給するための方法に係る実施例が記載される。
【００４６】
ステップ１０１においては、それぞれの電気消費機器３，４，５に対して送付されるべきデータが、データ受取ユニット９によって受け取られる。ステップ１０２においては、それぞれの電気消費機器３，４，５に対する電力供給が非動作の場合は、受け取ったデータが送付されるべき、それぞれの電気消費機器３，４，５に対する電力供給が、それぞれのデータ接続６，７，８を介してコントローラー１０によって動作化される。電源装置２によって、それぞれのデータ接続６，７，８を介して、それぞれの電気消費機器３，４，５に対して電力が供給される。特に、それぞれの電気消費機器３，４，５に対する電力供給を動作化するために、コントローラー１０によって、望ましくは、上述のＰｏＥ規格が使用される。
【００４７】
電気消費機器に対してデータ接続を介して電力供給する装置および方法は、例えば、センサー、スイッチ、光源、等の照明設備といった全ての種類の低電気消費機器に対して使用され、または、アクティブスピーカー、インターネットラジオ、ＤＶＤプレーヤー、そしてＴＶセットといったエンターテイメント装置に対して使用され得る。
【００４８】
装置は、カテゴリー５（Ｃａｔ５）接続であるデータ接続を介して、５０Ｗ以上のレベルの電力を供給するように適合され得る。
【００４９】
既知のＰｏＥシステムにおいては、電力デバイスが十分な電流、例えば１０ｍＡ、を特定の時間に渡って消費することができない場合には、ＰＳＥには、その電力デバイスを切り離すことが要求される。例えば、電力デバイスが、３２５ｍｓ毎に、７５ｍｓ以上に渡り１０ｍＡを消費することができない場合である。このように、電力デバイスが１０ｍＡ以下の電流を流すことになるときはいつでも、問題になり得る。電力デバイスが電源オン／オフ機能を有する場合は、このことは特に重要である。電源がオフされるときは、例えば１０ｍＡの最小電流を流す必要がまだあり、もしくは、ＰＳＥは電力デバイスの電源をスイッチオフする。対照的に、図１に関して上述されてきた、電気消費機器に対してデータ接続を介して電力供給するための装置は、電力デバイスが、例えば１０ｍＡを流す必要なしに、スイッチオフ、例えば、電力デバイスの完全な非動作化、されるようにする。そして、例えば、データ接続を介して電力デバイスに対して命令が送付されることを要するといった理由で、電力デバイスが再び動作化されることが必要である場合には、装置のコントローラーは、デバイスに対する電力供給を再び動作化させる。このように、上述の実施例に応じて、デバイスに対する電力供給はスイッチオフされ得る。デバイスが再び必要とされる場合には、デバイスに対する電力供給が動作化される。このことは、電力デバイスの消費電力を削減する。
【００５０】
電気消費機器に対してデータ接続を介して電力供給するための装置は、スタンバイ時のロスを劇的に削減することができる低電力ストラテジー（ｓｔｒａｔｅｇｙ）を提供する。このことは、分配されたデータ処理装置に対してだけでなく、ＰｏＥ照明システムに対しても、非動作のＰｏＥにおけるエネルギー消費を実質的に削減し得る。装置は、ＰｏＥ電力デバイス、例えば電気消費機器、が検知されたときに電源オンのスイッチをするためだけに、望ましくは、ＰｏＥ規格における要求として特定されたスイッチ可能なＰｏＥアウトレット（ｏｕｔｌｅｔ）を利用する。アウトレットの電力、例えば、図１に関して上述されたポート１３，１４，１５、は、スタンバイ条件の下でスイッチオフされ、それぞれのアウトレットに設置されているそれぞれの電気消費機器がアドレスされたときはいつでも、再び動作化され得る。装置は、ユーザーの構成に依存するか、または、適合するように作られる。較正と電源ダウンの行為を自動的に学習するためである。
【００５１】
例えば、装置は、ポートが非動作の場合には、単に電力供給を非動作化するか、または、それぞれのポートに接続された電気消費機器からデータを受け取り、電気消費機器へデータを送付することも同様に非動作化するように、ユーザーが適合できるようにする。さらに、装置は、望ましくは、それぞれのポートに接続された電気消費機器が、その電気消費機器はスタンバイモードであることを示すように閾値よりも低い電力を消費していることを装置が検知した場合には、少なくともポートの電力をオフするように適合される。装置は、コンフィグレーション（ｃｏｎｆｉｇｕｒａｔｉｏｎ）モードにいるそれぞれの電気消費機器に対する閾値を決定するように適合され得る。電気消費機器がスタンバイモードにあることが知られているときは電力消費が装置によって決定され、電気消費機器が動作モードにあることが知られているときは電力消費が決定される。閾値は、望ましくは、スタンバイモード、電気消費機器の非動作状態であるともみなされるのだが、に対して決定された電力消費の値と、動作モードに対して決定された値との間にある電力消費値である。装置は、ユーザーが、装置中に入力できるようにキー（ｋｅｙ）のような入力ユニットを含み得る。装置が、コンフィグレーションモードにおいて、例えば、装置に接続された電気消費機器に対して上述の閾値の決定といった、自己の構成をするように入力する。装置は、外部のコントローラーからも、コンフィグレーション命令を受け取ることができる。特には、承知に接続された電気消費機器からである。
【００５２】
以降には、図３に示したフローチャートに関して、データ接続を介して電気消費機器の電力供給するための方法に係るさらなる典型的な実施例が記述される。
【００５３】
図３におけるコントロールフローは、スタンバイでの電力マネジメントを説明している。ステップ２０１では、一つまたはいくつかの電気消費機器３，４，５に、それぞれのデータ接続５，６，７を介して、装置１により電力が供給される。一つまたはいくつかの電気消費機器３，４，５に対する電力供給を確立するために、工程は、望ましくは上述のＰｏＥ規格に準じている。
【００５４】
ステップ２０２においては、上述のＩＥＥＥ規格の一部に記載されたように、ＰｏＥの標準工程によりポートに対して電力が供給されている、それぞれのポート１３，１４，１５に対して、それぞれの電気消費機器３，４，５の電力消費がモニターされる。これは、既にＰｏＥ規格を満たすための必要条件である。電気消費機器３，４，５の電力消費が、上述のＩＥＥＥ標準の一部に規定された最小の電力消費と同等の閾値より低い場合には、それぞれのポート１３，１４，１５は、コントローラー１０によって非動作化される。
【００５５】
しかしながら、標準の拡張において、装置１は、望ましくは、それぞれのポート１３，１４，１５に関するＩＰアドレスのためのメモリーを有する。例えば、装置１は、状態保管ユニット１１を含んでいる。このメモリーまたは状態保管ユニットは、装置１に係るデータ処理回路の一部であるものとみなすこともできる。そうしたＩＰアドレスに対するメッセージが検知された場合は、ＰＳＥマンジメント、例えばコントローラー１０、は、それぞれのポート１３，１４，１５を再びパワーアップするリクエストを得る。接続された電気消費機器をテストするルールは、まだ適用される。これらは、ＰＳＥ，例えば装置１、がＰｏＥ非対応デバイスに対して４８Ｖを適用しないことを保証するように求める。このため、上述のように、ＰＳＥは、最初は低い電圧、例えば２．７Ｖから１０．１Ｖ、を適用し、シグネチャ抵抗２５ｋΩを捜す。ＰＳＥは、シグネチャ抵抗はいくつかの自動極性回路の後にあることを期待し、シグネチャにおけるＤＣオフセットを補償する。それぞれの電気消費機器３，４，５の最大入力容量は、１５０ｎＦより小さくなければならない。しかし、今はそれぞれの電気消費機器３，４，５が、新たにプラグインされたかのように、再び動作化されており、例えば、待ち時間の後で、関連するＩＰアドレスに対するメッセージが、それぞれの電気消費機器３，４，５に対して送付される。このように、ステップ２０２において、それぞれのポート１３，１４，１５の電力消費が閾値以下であることがモニターされた場合には、ステップ２０３において、それぞれのポート１３，１４，１５のための電力供給は、スイッチオフされる。ステップ２０４では、それぞれの非動作化されたポート１３，１４，１５のためのメッセージが受け取られたかどうかがモニターされる。それぞれのポート１３，１４，１５のＩＰアドレスのためのメッセージが受け取られた場合には、ステップ２０５において、それぞれのポート１３，１４，１５に対する電力供給がスイッチオンされ、例えば、待ち時間の後で、それぞれの電気消費機器３，４，５に対して、関連するＩＰアドレスのためのメッセージが再び送付される。このようにして、電気消費機器の電力消費をゼロまで落とすことができる。電気消費機器は、非動作である時間中は、なんの供給も受けないからである。記述されたメカニズムは、ネットワークトラフィック（ｎｅｔｗｏｒｋ  ｔｒａｆｆｉｃ）を通じてのみウェークアップ（ｗａｋｅｄ−ｕｐ）されることを要するあらゆるスレーブ（ｓｌａｖｅ）デバイスをサポートする。
【００５６】
それぞれの電気消費機器３，４，５に対して送付されるべきメッセージはバッファーされ、バッファーされたメッセージは、異なるタイプの電気消費機器に係る異なるスタートアップ（ｓｔａｒｔ−ｕｐ）の遅延に適応するために、再び動作化されたデバイスに対して繰り返し複数回送付される。装置は、また、スタートアップ工程の終了を検知するために電力消費をモニターするように適合され得る。例えば、ランプデバイスの電力消費が検知され、全ての器具のための待ち時間としての最も長いスタートアップ時間をかけることなしに、異なるタイプのランプに対して電力を供給できる。特に、ＰｏＥアプリケーション上の照明においては、このメカニズムは、非動作状態における電力消費を大きく削減することになる。
【００５７】
図４は、電気消費機器に対してデータ接続を介して電力供給するための装置３０１を含む照明システム３３０の典型的な実施例について、模式的に表したものである。電気消費機器に対してデータ接続を介して電力供給するための装置３０１は、上述の図１に関する装置と類似のものであり得る。装置３０１は、データ接続３０６を介して、いくつかの電気消費機器３０３，３０４，３０５が接続されている、いくつかのポート３１３を含んでいる。この実施例においては、データ接続３０６はイーサネット（登録商標）ケーブルである。電気消費機器はＰｏＥ光源３０３、ＰｏＥスイッチ３０４、そしてＰｏＥセンサーであり、ゼロ電力でスタンバイしている。データは、望ましくは、イーサネット（登録商標）ケーブルである、データ接続３３１を介して、装置１によって受け取られる。
【００５８】
センサー３０５は、例えば、人の存在を検知するための、光センサー、音響センサー、または赤外線センサーである。これにより、現在の照明輝度、及び／又は、人の存在に応じて、光源３０３を制御することができる。ＰｏＥ光源３０３は、エネルギー節約ランプ、蛍光ランプ、発光ダイオード、特には、有機発行ダイオード、等であり得る。装置３０１は、さらに、装置が特定のモードにあるかどうかを示すための小さなランプ３３３を含み得る。例えば、装置がコンフィグレーションモードにいるかいないかを示すものである。さらに、装置３０１は、ユーザーが、装置をコンフィグレーションモードに設定できるようにするキー３３４を含み得る。
【００５９】
電気消費機器に対してデータ接続を介して電力供給する装置は、上述のＰｏＥ規格で定義されたプロトコルに対する追加を導入するように適合され得る。追加は、例えば上述の電気消費機器である、ＰｏＥ機器が、装置１、スイッチまたはスイッチを含むものとして認められるが、からスタンバイ条件をリクエストするように、そして、ついにはパワーアップを追加してリクエストできるようにする。これは、特に、限られたローカルなエネルギー供給またはエネルギー保管を伴う電気消費機器に対して可能であり、それぞれの電気消費機器でのユーザー入力がパワーアップリクエストをもたらす。このことは、例えば、上述のＰｏＥスイッチ３０４とＰｏＥセンサー３０５を、ゼロ電力スタンバイ状態へと非動作化する。例えば、ＰｏＥスイッチ、及び／又は、ＰｏＥセンサーが装置１から電力を受け取らない状態である。
【００６０】
電気消費機器に対してデータ接続を介して電力供給する装置は、また、例えば、電気消費機器といった、エネルギー保管が限られ、または、エネルギー取り込みが一定でない、デバイスに対する充電サイクルをサポートするように適合される。例えば、センサー３０５といった、これらのデバイスは、イーサネット（登録商標）電力を再び動作化するようリクエストするように適合され得る。保管デバイスの中のエネルギーをほぼ使いきったとき、または、例えば太陽電池セルによる、取り込みが十分な電力を与えないときはいつでもである。
【００６１】
電気消費機器に対してデータ接続を介して電力供給する装置は、システムで使用され得る。システムは、ＰｏＥ電力供給に基づくもので、工場に渡り給電されたデータ処理システム、または、ビル自動化システムから、イーサネット（登録商標）システムに渡る照明にまで拡がっている。
【００６２】
電気消費機器に対してデータ接続を介して電力供給する装置である、特に、この装置のコントローラーは、ＰｏＥマネジメントとしても認められるが、例えば、少なくも電力供給や任意的にデータ転送機能のための、ポートをスイッチし、ＰｏＥデバイスを非動作化し、そして、リクエストによって、これらを再び動作化するように適合される。リクエストは、望ましくは、その装置が接続されているネットワークで送付されたメッセージによって提供される。装置は、ＰＳＥスイッチまたはルーターそのもの、またはそれらを含むものとして認められ、望ましくは、装置のポートに接続されたデバイスのＩＰアドレスを記憶し、非動作のポートに接続されたデバイスに対して送られたメッセージを検知する。例えば電気消費機器といった、デバイスは、それぞれのポートが電力供給を非動作化したが、データ転送機能が非動作化されていない場合には、ＰｏＥ電力を再び動作化するように自分自身に対してメッセージを送るように適合され得る。例えば、デバイスは、ＰｏＥ電力を再び動作化するように、自分自身に対して装置を介して対応するメッセージを送付する。この再動作化は、それぞれのデバイスのローカルな電源が、例えば、既定の閾値よりも低い値で動いているときはいつでも、限られた電力供給を伴うデバイスがＰｏＥを再び動作化できるように、実行される。装置に対して送られたメッセージは、望ましくは、保管され、待ち時間の後で、電力デバイスのスタートアップタイミングをサポートするために再送され得る。電力供給されたデバイスの特別なメッセージは、パワーダウン（ｐｏｗｅｒ−ｄｏｗｎ）タイミング、及び／又は、ＰｏＥ電力供給、または、検知レベル、を設定するために使用され得る。例えば、特別なメッセージは、例として電気消費機器といった、電力供給されたデバイスの電力消費の閾値を決定する情報を含み、その電力供給されたデバイスが非動作または非動作状態にあると認められる、電力供給されたデバイスのスタンバイ状態と非動作状態識別するために使用され得る。
【００６３】
ＰｏＥは、切り離されたデータ装置や周辺機器に対して、それらをイーサネット（登録商標）に接続するために既に使用されたものと同一のワイヤーを通じて、電力供給する規格である。電気消費機器に対してデータ接続を介して電力供給するための装置は、イーサネット（登録商標）によって電力を供給するように適合され、分散された電子データ処理装置、または、他のデバイスのスタンバイでのロスを劇的に削減するための低電力ストラテジーを提供することができる。これにより、非動作のＰｏＥデバイスのエネルギー消費を実質的に削減することができる。そして、活動削減期間における電力消費を削減するように、ＰｏＥ規格ＩＥＥＥ８０２．３．ａｆを途切れることなく拡張し得る。特に、ポートの動作化、例えば、電気消費機器に対する電力供給の動作化、は、望ましくは、ＰｏＥ規格ＩＥＥＥ８０２．３．ａｆに従って実行される。しかし、このＰｏＥ規格に加えて、例えばＰＳＥといった、装置は、ポートを非動作化できる。特には、ＰｏＥ対応の電気消費機器が接続されたポートを完全にスイッチオフする。さらに、ＰｏＥ規格に加えて、装置は、受け取ったデータが非動作化されたポートに接続された電気消費機器に宛てられたものかどうかをチェックし、もし、そうであれば、それぞれのポートを動作化する。
【００６４】
図面、明細書、そして添付の特許請求の範囲を研究すれば、本発明に係る当業者によって、開示された実施例に対する他の変形が理解され、もたらされよう。
【００６５】
特許請求の範囲において、用語「含む（“ｃｏｍｐｒｉｓｉｎｇ”）」は、他のエレメントまたはステップを排除するものではないし、不定冠詞“ａ”または“ａｎ”は、複数を排除するものではない。
【００６６】
単一のユニットまたはデバイスが、特許請求の範囲において列挙された、いくつかの事項に係る機能を満たし得る。特定の手段が、相互に異なる独立請求項において説明されているという事実だけでは、こうした手段の組合せを有利なように使用することができない、ということを意味しない。
【００６７】
例えば、一つまたはいくつかのユニット、もしくはデバイスによって実行される、データの受け取り、電気消費機器に対する電力供給の動作化、電気消費機器へのデータ送付、等といった機能は、他のあらゆる数のユニットもしくはデバイスによって実行され得る。電気消費機器に対してデータ接続を介して電力供給する方法に従った、電気消費機器に対してデータ接続を介して電力供給する装置のコントロールは、コンピュータープログラムのプログラムコード手段として、及び／又は、専用のハードウェアとして、実施され得る。
【００６８】
コンピュータープログラムは、光学的ストレージ媒体または半導体媒体といった、好適な媒体で保管／配信され、他のハードウェアと共に、または、その一部分として提供され得る。しかし、インターネット、または、他の無線もしくは有線の電子通信システム、を介してといった、他の形式においても配信され得る。
【００６９】
特許請求の範囲におけるいかなる参照記号も、発明の範囲を限定するものとして理解されるべきではない。
【００７０】
本発明は、電気消費機器に対してデータ接続を介して電力供給するための装置に関する。装置は、電気消費機器に対してデータ接続を介して電力供給するための電源と、電気消費機器に対して送付されるべきデータを受け取るためのデータ受取ユニットと、データ接続を介する電気消費機器に対しての電力供給を動作化するためのコントローラーと、を含む。電気消費機器に対して送付されるべきデータを受け取った場合には、その電気消費機器に対する電力供給は非動作化される。従って、データ接続アクティビティに反応できるように警戒しておくために、電気消費機器それ自身は、装置から電力供給を受ける必要はない。それにより、電力消費が削減される。
【図１】
2013539116.tif 000003
【図２】
2013539116.tif 000004
【図３】
2013539116.tif 000005
【図４】
2013539116.tif 000006
【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
電気消費機器に対してデータ接続を介して電力供給する装置であって：
前記電気消費機器に対して前記データ接続を介して電力供給するための電源と、
前記電気消費機器に対して送付されるべきデータを受け取るデータ受取りユニットと、を含み、
前記電気消費機器に対して送付されるべきデータが受け取られ、前記電気消費機器に対する前記電源が非動作化されている場合に、ネットワーク接続されており分離された前記電気消費機器に対する前記データ接続を介した電力供給を動作化するためのコントローラー、
によって特徴付けられる、装置。
【請求項２】
前記装置は、前記受け取られたデータを保管するためのデータ保管ユニットを含み、
前記コントローラーは、前記電気消費機器に対する電力供給が動作化された後で、前記電気消費機器に対して前記データ接続を介して、前記受け取られ保管されたデータを送付するように適合されている、
請求項１に記載の装置。
【請求項３】
前記コントローラーは、前記コントローラーが前記電気消費機器に対する電力供給を動作化し始めた後で、前記電気消費機器に対して前記データ接続を介して前記電気消費機器に対して、前記受け取られ保管されたデータを送付するように適合されている、
請求項２に記載の装置。
【請求項４】
前記コントローラーは、前記電気消費機器に対して、前記受け取られ保管されたデータを繰り返し送付するように適合されている、
請求項２に記載の装置。
【請求項５】
前記装置は、前記電気消費機器に対する電力供給が動作状態であるか非動作状態であるかどうかを保管するための状態保管ユニットを含み、
前記コントローラーは、前記電気消費機器に対して送付されるべきデータが受け取られ、前記電気消費機器に対する前記電力供給が非動作化されていることが前記状態保管ユニットに保管されている場合に、前記電気消費機器に対する前記データ接続を介した電力供給を動作化するように適合されている、
請求項１に記載の装置。
【請求項６】
前記コントローラーは、前記受け取られたデータが、前記電気消費機器が非動作化されるべきことを示す非動作化命令を含んでいるかどうかを判断するように適合されている、
請求項１に記載の装置。
【請求項７】
前記コントローラーは、前記受け取られたデータは非動作化命令を含んでいると前記コントローラーが判断した場合には、前記電気消費機器に対する前記電力供給を非動作化するように適合されている、
請求項６に記載の装置。
【請求項８】
前記装置は、前記電気消費機器に対する電力供給が動作状態であるか非動作状態であるかどうかを保管するための状態保管ユニットを含み、
前記状態保管ユニットは、前記受け取られたデータは非動作化命令を含んでいると前記コントローラーが判断した場合には、前記電気消費機器に対する前記電力供給は非動作化状態にあることを保管するように適合されている、
請求項６に記載の装置。
【請求項９】
前記コントローラーは、前記電気消費機器が動作化されているか非動作化されているかを判断するように適合されている、
請求項１に記載の装置。
【請求項１０】
前記コントローラーは、前記電気消費機器の電力消費を決定し、前記決定された電力消費に応じて、前記電気消費機器が動作化されているか非動作化されているかを判断するように適合されている、
請求項９に記載の装置。
【請求項１１】
前記コントローラーは、前記電気消費機器から、前記電気消費機器が非動作化されるべきであることを示す非動作化リクエストを受け取るように適合され、
前記コントローラーは、前記非動作化リクエストが受け取られた場合には、前記電気消費機器に対する前記電力供給を非動作化するよう、前記電源を制御するように適合されている、
請求項１に記載の装置。
【請求項１２】
前記コントローラーは、前記電気消費機器から、前記電気消費機器が動作化されるべきであることを示す動作化リクエストを受け取るように適合され、
前記コントローラーは、前記動作化リクエストが受け取られた場合には、前記電気消費機器に対する前記電力供給を動作化するよう、前記電源を制御するように適合されている、
請求項１に記載の装置。
【請求項１３】
少なくとも一つの電気消費機器と、
電気消費機器に対してデータ接続を介して電力供給する、請求項１に記載の前記装置と、
少なくとも一つのデータ接続であり、前記装置と前記少なくとも一つの電気消費機器との間でデータ伝送するため、および、前記装置によって前記少なくとも一つの電気消費機器に対して前記少なくとも一つのデータ接続を介して電力供給するためのデータ接続と、
を含むシステム。
【請求項１４】
ネットワーク接続されており分離された電気消費機器に対してデータ接続を介して電力供給する方法であって：
データ受取りユニットによって、前記電気消費機器に対して送付されるべきデータを受け取るステップを含み、
前記電気消費機器に対して送付されるべきデータが受け取られ、前記電気消費機器に対する前記電源が非動作化されている場合に、コントローラーによって、前記電気消費機器に対する前記データ接続を介した電力供給を動作化し、
電力は、電源によって、前記電気消費機器に対して前記データ接続を介して供給される、
ことによって特徴付けられる、方法。
【請求項１５】
電気消費機器に対してデータ接続を介して電力供給するためのコンピュータープログラムであって、
前記コンピュータープログラムは、請求項１に記載の装置に対して、前記装置をコントロールしているコンピューター上で実行される場合に、請求項１４に記載の方法のステップを実行させるためのプログラムコード手段を含む、コンピュータープログラム。
【手続補正２】
【補正対象書類名】明細書
【補正対象項目名】０００２
【補正方法】変更
【補正の内容】
【０００２】
パワーオーバーイーサネット（登録商標）（ＰｏＥ：Ｐｏｗｅｒ−ｏｖｅｒ−Ｅｔｈｅｒｎｅｔ）は、ルーター、スイッチ、プリンタースプーラー、等のようなネットワーク接続されており分離された電気消費機器に対して、標準のイーサネット（登録商標）ケーブル接続によって、電気的エネルギーを供給する、現行の規格（ＩＥＥＥＥ  ８０２．３．ａｆ）である。しかしながら、ネットワーク接続されており分離された電気消費機器がスタンバイモードにある場合には、あらゆるイーサネット（登録商標）アクティビティに反応できるよう内部処理アラート（ａｌｅｒｔ）を保持するために、それらの機器は、いまだに、ＰｏＥ電力供給からいくらかの電力を受け取っている。このように、ネットワーク接続されており分離された電気消費機器のスタンバイモードにおいてさえ、電力消費は非常に高い。
【手続補正３】
【補正対象書類名】明細書
【補正対象項目名】０００３
【補正方法】変更
【補正の内容】
【０００３】
欧州特許出願第２２２２０１８Ａ１号明細書には、ネットワークを通じて、集中化されたマネジメントユニットからシャットダウンバイナリ信号を送付することで、イーサネット（登録商標）ネットワーク上のシャットダウンによる集中化された電力供給の方法が記載されている。信号の第１の値はシャットダウン命令であり、第２の値は再起動を認定する。さらに、ネットワークエレメントにおけるシャットダウン信号の値を検知すると、そのネットワークエレメントのいくつかの機能のうち少なくとも一つをシャットダウンし、その信号が第１の値を有する場合は、シャットダウン信号を伝える。もしくは、その信号が第２の値を有する場合は、そのネットワークエレメントの全ての機能を認定する。
【手続補正４】
【補正対象書類名】明細書
【補正対象項目名】０００４
【補正方法】変更
【補正の内容】
【０００４】
米国特許出願第２００７／００５３３６０Ａ１号明細書には、ネットワーク接続装置の電力消費を、複数の実体的な配線のそれぞれに対する電力消費をコントロールすることによって削減する方法が記載されている。実体的な配線は、ネットワーク接続装置に接続されており、その実体的な配線を通じたデータ転送の測定（単位時間あたりのデータトラフィック）に基づいてコントロールされるものである。
【国際調査報告】
2013539116.tif 000007
2013539116.tif 000008